(57)【要約】  【課題】  大型画面の薄型表示装置の梱包を輸送中の振動、衝撃に耐えられるようにする。  【解決手段】  液晶テレビ本体１の下部の左右両端と本体１の上部の左右両端に保持部材２５，２６を当接させて液晶テレビ本体１を段ボール箱２３に収納する薄型表示装置の梱包構造において、表示パネル表面の左右方向中央部であって上下方向略全幅にスポンジ板６を当接し、該スポンジ板６と略同形かやや大きい補強板７をスポンジ板６の背面に貼着し、該補強板７の上下両端に回動自在に取付片１５〜２０を接続し、その取付片１５〜２０により液晶テレビ本体１の背面を巻回して、それらの両端を互いに接続することにより、表示パネル前面の左右方向中央部を予圧して表示パネルの耐震性を向上する。【選択図】  図３
2006232360.tif 000002
【特許請求の範囲】
【請求項１】
薄型表示装置の表示パネルの表面に緩衝部材を当接して、該緩部材を薄型表示装置本体に巻回して固定したことを特徴とする薄型表示装置の梱包構造。
【請求項２】
薄型表示装置の本体下部の左右両端と本体上部の左右両端に保持部材を当接させて薄型表示装置を段ボール箱に収納する薄型表示装置の梱包構造において、
表示パネル表面の左右方向中央部であって上下方向略全幅に当接される矩形状の緩衝部材と、
該緩衝部材と略同形またはやや大きくて緩衝部材の背面に貼着された補強板と、
該補強板の上下方向に回動自在に接続されて薄型表示装置本体の背面に巻回される取付片と、
該取付片の両端に形成されて該両端を互いに接続する接続部と、
を備えたことを特徴とする薄型表示装置の梱包構造。
【請求項３】
請求項２に記載の薄型表示装置の梱包構造において、
前記補強板と前記取付片を一体の段ボールにより連続して形成し、適箇所に巻回方向と直角に折り目を付与したことを特徴とする薄型表示装置の梱包構造。
【請求項４】
請求項２または３に記載の薄型表示装置の梱包構造において、
薄型表示装置の本体下部にスタンドが一体的に取り付けられている場合に、前記補強板の下端に接続される取付片に二股の切り込みを形成してスタンドを迂回して前記薄型表示装置を巻回することを特徴とする薄型表示装置の梱包構造。
【請求項５】
請求項２乃至４のいずれかに記載の薄型表示装置の梱包構造において、
前記接続部を表示装置本体の背面側に位置させたことを特徴とする薄型表示装置の梱包構造。
【請求項６】
請求項１乃至５のいずれかに記載の薄型表示装置の梱包構造において、
前記緩衝部材をスポンジにより形成して該スポンジ表面に凹凸面を形成したことを特徴とする薄型表示装置の梱包構造。
【発明の詳細な説明】
【技術分野】
【０００１】
本発明は、薄型表示装置の梱包構造に関し、詳しくは画面サイズが大型である液晶テレビ等の薄型表示装置をその表示パネル部分が損傷されることなく輸送できる梱包構造に関する。
【背景技術】
【０００２】
従来、液晶テレビを工場からユーザまで輸送するには、段ボール箱に収納していた。液晶テレビがスタンド付きの場合は、先ず、液晶テレビをスチレンペーパーの袋を被せておく。次いで、段ボールの下箱にスタンドと本体下部の前後左右を押圧する段ボール製の下部保持部材を置き、そこへ液晶テレビの下部を挿入して、スタンドおよび本体の下部を支持させる。次いで、液晶テレビの頂部に、その前後左右と上面を押圧する段ボール製の上部保持部材を嵌め込んでから、上箱を被せて、上箱と下箱を固定する。この状態で、液晶テレビは工場から販売店を介してユーザのところまで輸送される。なお、箱内に充填される、下部保持部材と上部保持部材は、作業性、省資源のため、左右方向中央部分は、切除されている。すなわち、液晶テレビは段ボール箱内で、上部および下部の左右両端で支持される構造であった。
また、これ以外には、薄型表示装置の部品を梱包する方法として、特許文献１に記載の「表示パネルの梱包方法」が知られている。
【特許文献１】特開昭２０００−８５８４７号公報
【発明の開示】
【発明が解決しようとする課題】
【０００３】
ところで、近年、液晶テレビの大型化が進み、表示パネルの横幅がワイドになると、上述した段ボールによる梱包の構造であると、振動試験の結果、表示パネルの上端中央部が振動に弱いということが判明してきた。実際の試験では、３７Ｖ型の液晶テレビに、従来構造の段ボールで梱包して、前後方向に５〜５０Ｈｚ、１．５Ｇの振動を加えると、その振動が増幅されて表示パネルの中央部分で３５Ｇ以上の振動値が測定されるとともに、液晶パネルの縦ラインが欠損する等の障害が発生した。
【０００４】
この測定された３５Ｇの振動では、液晶パネルが破損されるため、従来の梱包のままでは、液晶テレビを安全に輸送することを保証できない事態となった。そこでこの問題の対策として、上枠６を木製や樹脂成形品等の剛性の大きい材料を使うことも可能であるが、重量やコストが増大し、また、廃棄処理の問題があるため、できれば従来の段ボールを用いた構造で、振動に耐えられることが求められている。そこで、本発明は、画面が大型化された液晶テレビ等の薄型表示装置の梱包構造を、その輸送中にも振動や衝撃に耐えられるようにすることを目的とした。
【課題を解決するための手段】
【０００５】
上記課題を解決するために、本発明は、薄型表示装置の表示パネルの表面に緩衝部材を当接して、該緩衝部材を薄型表示装置本体に巻回して固定したことを特徴とする。
詳しくは、薄型表示装置の本体下部の左右両端と本体上部の左右両端に保持部材を当接させて薄型表示装置を段ボール箱に収納する薄型表示装置の梱包構造において、表示パネル表面の左右方向中央部であって上下方向略全幅に当接される矩形状の緩衝部材と、該緩衝部材と略同形またはやや大きくて緩衝部材の背面に貼着された補強板と、該補強板の上下両端に回動自在に接続されて薄型表示装置本体の背面に巻回される取付片と、該取付片の両端に形成されて該両端を互いに接続する接続部とを備える。
ここで、前記補強板と前記取付片を一体の段ボールにより連続して形成し、適箇所に巻回方向と直角に折り目を付与することが好ましい。
また、薄型表示装置の本体下部にスタンドが一体的に取り付けられている場合には、前記補強板の下端に接続される取付片に二股の切り込みを形成してスタンドの左右外側を巻回することが好ましい。
なお、前記接続部を表示装置本体の背面側に位置させることも可能である。
さらに、前記緩衝部材をスポンジにより形成して該スポンジ表面に凹凸面を形成することも可能である。
【発明の効果】
【０００６】
以上述べたように本発明によれば、薄型表示装置の表示パネルの表面に緩衝部材を当接して、該緩衝部材を薄型表示装置本体に巻回して固定したことで、表示パネルの左右方向中央部分における揺れが抑制されて、薄型表示装置の画面が大きくなっても、輸送中の振動や衝撃に耐えられるようになった。
【発明を実施するための最良の形態】
【０００７】
以下、図に基づいて本発明の実施形態を説明する。
図１は本発明が適用される大型画面のサイドスピーカー型液晶テレビを示す斜視図である。図２は図１の液晶テレビに取り付けられる緩衝板を展開した平面図であり、図３は図２の緩衝板を図１の液晶テレビに取り付けた状態を示す斜視図であり、図４は図３の液晶テレビを段ボール箱に収納した状態の縦断面図である。図１に示される液晶テレビは３７Ｖ型以上の大型画面であり、しかもサイドスピーカー型であるため、高さに比べて横幅が特に大きいタイプである。液晶テレビ本体１はスタンド２に支持され、左右端部にはサイドスピーカーユニット３，４が取り付けられている。
【０００８】
図２に示されるのは、図１の液晶テレビ本体１に取り付けられる緩衝板５であり、縦の辺が液晶テレビ本体１の表示パネルの縦幅に略等しい矩形のスポンジ板６の背面に、段ボール板からなる補強板７が貼着されている。なお、図２には示されてないがこのスポンジ板６の表面には、一定ピッチからなる凹凸面が形成されている。補強板７の左右には、折り目８〜１３を介して、取付片１５〜２０が連続して形成されている。右側の取付片１７〜２０が上下に別れているのは、間にスタンド２が位置するためである。これら取付片１５〜２０は、折り目８〜１３でそれぞれ９０度上方に折曲されることで、全体でスポンジ板６を内側に配した断面四角形のリング状に組み立てられる。なお、左端の取付片１６と右端の取付片１９，２０の先端部分は、使用時に互いに重なり合い、重合面が貼着されるか、重合部の上から粘着テープを貼り付けることで接続される。
【０００９】
図２のように構成された緩衝板５は、図３のように液晶テレビ本体１に取り付けられる。すなわち、スポンジ板６が液晶テレビ本体１の表示パネルに左右方向中央部分で当接されている。補強板７に連なる取付片１５は、液晶テレビ本体１の背面側に９０度折曲されて、液晶テレビ本体１の頂部上方を水平に支持される。取付片１５の先に連なる取付片１６は液晶テレビ本体１の背面側に沿って９０度下方へ折曲されて、液晶テレビ本体１の背面側に垂直に支持される。また、補強板７の下方に連なる取付片１７，１８も、液晶テレビ本体１の背面側に９０度折曲されて、液晶テレビ本体１の底部下方を水平に支持される。
【００１０】
取付片１７と取付片１８の間には、スタンド２が挟まれている。取付片１７，１８の先に連なる取付片１９，２０は液晶テレビ本体１の背面側に沿って９０度上方へ折曲されて、液晶テレビ本体１の背面側に垂直に支持される。取付片１９，２０の先端は、上方に位置している取付片１６と重なる。その重合面を接着剤、糊等により貼着するか、重合部の上に粘着テープを貼り付けることで、取付片１６と取付片１９，２０が接続される。このとき、スポンジ板６が表示パネルを押圧して、若干収縮された状態で取付片１６と取付片１９，２０が接続されることが好ましい。なお、図３には示されていないが、液晶テレビ本体１はスチレンペーパーの袋に入れられてから緩衝板５が巻き付けられる。
【００１１】
図３のように、緩衝板５が巻き付けられた液晶テレビ本体１は、図４のように、ダンボール箱２３の中に収納される。すなわち、ダンボール箱２３の底面となる位置に、段ボール製の下部保持部材２５を置き、その上に、緩衝板５が巻き付けられた液晶テレビ本体１を載置する。この下部保持部材２５により、スタンド２の底面と、液晶テレビ本体１下部の左右両端が支持される。次いで、液晶テレビ本体１の頂部に、その前後左右と上面を押圧する段ボール製の上部保持部材２６を嵌め込んでから、ダンボール箱２３を被せる。このとき、緩衝板５の上端は、上部保持部材２６により前後方向が支持される。
【００１２】
以上のように構成されたことで、液晶テレビ本体１の表示パネルは、その中央部分が緩衝板５により、いわば鉢巻きをしたように保持されて、最も振動が発生しやすい表示パネルの中央部分が前面から均一に予圧が加えられることになり、その分、耐震性を向上することができた。実測した結果によると、図４のように緩衝板５を用いて段ボール箱２３で梱包して、前後方向に５〜５０Ｈｚ、１．５Ｇの振動を加えた場合、表示パネルの中央部分で４〜５Ｇの振動値が測定された。これは従来構造の梱包の場合の測定値３５Ｇに比べ、大幅な減少となり、液晶パネルの縦方向の駆動回路パターンの欠損も解消された。
【産業上の利用可能性】
【００１３】
本発明は、液晶テレビの梱包に利用できる以外に、ＰＤＰテレビ等の他の薄型表示装置の大画面のものを梱包する場合に利用可能である。
【図面の簡単な説明】
【００１４】
【図１】本発明が適用される大型画面のサイドスピーカー型液晶テレビを示す斜視図である。
【図２】図１の液晶テレビに取り付けられる緩衝板を展開した平面図である。
【図３】図２の緩衝板を図１の液晶テレビに取り付けた状態を示す斜視図である。
【図４】図３の液晶テレビを段ボール箱に収納した状態の縦断面図である。
【符号の説明】
【００１５】
１  液晶テレビ本体
２  スタンド
３，４  サイドスピーカーユニット
５  緩衝板
６  スポンジ板
７  補強板
８〜１３  折り目
１５〜２０  取付片
２３  ダンボール箱
２５  下部保持部材
２６  上部保持部材
【図１】
2006232360.tif 000003
【図２】
2006232360.tif 000004
【図３】
2006232360.tif 000005
【図４】
2006232360.tif 000006